(57)【特許請求の範囲】
【請求項１】
蓋体(1) の一側に取り付けたヒンジプレート(8) に逆Ｕ字状の切欠(9) を下向きに形成するとともに、該切欠(9) に係合されるヒンジピン(13)を蓋受け枠(10)に取り付けられたヒンジボックス(14)に張架し、このヒンジボックス(14)内においてヒンジピン(13)の両側には、前記したヒンジプレート(8) とヒンジボックス（14) との間に介在されるスペーサ(19)、(19)を嵌合したことを特徴とする集排水ます用蓋。
【請求項２】
蓋体(1) がストッパ(18)により開度を規制される請求項１に記載の集排水ます用蓋。
【請求項３】
ストッパ(18)がヒンジプレート(8) の上縁に当接するヒンジボックス(14)の背板(14a) である請求項２に記載の集排水ます用蓋。
【請求項４】
ヒンジボックス(14)が蓋受け枠(10)の外方に設けられている請求項１または２または３に記載の集排水ます用蓋。
【請求項５】
ヒンジボックス(14)の底部を傾斜面(17)とした請求項１または２または３または４に記載の集排水ます用蓋。
【発明の詳細な説明】
【０００１】
【発明の属する技術分野】
本発明は集排水ますの開口を塞ぐ集排水ます用蓋に関するものである。
【０００２】
【従来の技術】
従来、集排水ますの開口はコンクリートブロック製の蓋や金属製格子の蓋を蓋受け枠に落とし込んで塞ぐのが一般的であった。しかし、蓋を落とし込みにすると、集排水ますの点検や清掃の際、蓋の取り扱いが面倒であるという問題があった。そこで、蓋受け枠に金属製格子の蓋体を枢着して枢動式とし、取り扱い性を向上させたものが製品化されている。しかし、枢動式の蓋は、設置場所によっては蓋体の枢動軌跡上に建物等の他物があって蓋体を十分に開閉できないことがあった。このような場合には落とし込み式の蓋を用いなければならず、必然的に、メーカーは落とし込み式と枢動式の蓋の２種類を用意しなければならず、在庫管理が煩雑になるうえに、量産効果を得にくいという問題があった。しかも、枢動式の蓋は蓋体と蓋受け枠とを一体化された状態で集排水ますに取り付けねばならないため、重く取り扱いが厄介となるうえに多大な労力を要するという問題もあった。さらに、枢動式の蓋は蓋受け枠に取り付けられた片持ちのピンにより蓋体を枢着するため、蓋体に大きな荷重がかかると、ピンが曲がりやすいうえに、長期間の使用によりピンががたつきやすく、蓋体を滑らかに枢動させることが難しくなるという問題もあった。
【０００３】
【発明が解決しようとする課題】
本発明は在庫管理が容易なうえに、量産効果によるコストダウンを図ることができる集排水ます用蓋を提供することを目的とするものである。
【０００４】
【課題を解決するための手段】
前述の目的を達成するため本発明は、蓋体の一側に取り付けたヒンジプレートに逆Ｕ字状の切欠を下向きに形成するとともに、該切欠に係合されるヒンジピンを蓋受け枠に取り付けられたヒンジボックスに張架し、このヒンジボックス内においてヒンジピンの両側には、前記したヒンジプレートとヒンジボックスとの間に介在されるスペーサを嵌合した集排水ます用蓋を請求項１の発明とし、請求項１の発明において、蓋体がストッパにより開度を規制される集排水ます用蓋を請求項２の発明とし、請求項２の発明において、ストッパがヒンジプレートの上縁に当接するヒンジボックスの背板である集排水ます用蓋を請求項３の発明とし、請求項１または２または３の発明において、ヒンジボックスが蓋受け枠の外方に設けられている集排水ます用蓋を請求項４の発明とし、請求項１または２または３または４の発明において、ヒンジボックスの底部を傾斜面とした集排水ます用蓋を請求項５の発明とするものである。
【０００５】
【発明の実施の形態】
次に、本発明の好ましい実施の形態を図１、２、３、４に基づいて詳細に説明する。
１、１は両開きの蓋体であり、該各蓋体１は両端のエンドプレート２、２間にＩ型綱よりなる主部材３を一定ピッチで配設し、その間に複数本の補助部材４を並設するとともに、主部材３と補助部材４とに直交して横部材５を一定ピッチで配設した格子状のものである。また、主部材３の前後下端にはベースプレート６が取り付けられている。７はベースプレート６の下面に添着されるゴムパッキンであり、該ゴムパッキン７により蓋体１を閉じる際に発生する衝突音を低減するものである。８は各蓋体１の一側前後に取り付けられるヒンジプレートであり、該ヒンジプレート８には後記するヒンジピン１３に係合される逆Ｕ字状の切欠９が下向きに形成されている。
【０００６】
１０は蓋体１を取り付ける蓋受け枠であり、該蓋受け枠１０は蓋体１の下端面を受ける内鍔部１１を対向面に形成した枠プレート１２により角枠状に形成するとともに、両側の前後にヒンジピン１３を張架したヒンジボックス１４を外方に張出させて設けたものである。該ヒンジボックス１４は枠プレート１２の切欠開口部１５に横断面形状がコ字状の枠体を固着したもので、その底部は蓋受け枠１０側に向けて傾斜させた傾斜面１７としている。このため、上部から進入する塵埃や小石等が集排水ます内に排出されてヒンジボックス１４内に堆積することがない。また、１８は蓋体１の開度を１１０度に規制するストッパであり、該ストッパ１８はヒンジプレート８の上縁が当接されるヒンジボックス１４の背板１４ａとしている。１９はヒンジピン１３の両側にその切り割りを開いて嵌合されるゴムあるいは樹脂製等弾性を有するスペーサであり、該スペーサ１９はヒンジピン１３に係合されるヒンジプレート８の左右とヒンジボックス１４の内側面との間に生じる隙間を狭めて蓋体１をがたつくことなく滑らかに開閉させるためのものである。
【０００７】
このように構成されたものは、先ず、集排水ますを構築する際、型枠内に組み上げられた鉄筋に、図示しない蓋受け枠１０のアンカーを溶接したうえ、コンクリート打ちを行って、蓋受け枠１０を集排水ますに取り付ける。そして、コンクリートが硬化後、蓋受け枠１０に蓋体１、１をセットする。この蓋体  １、１のセットはヒンジプレート８の逆Ｕ字状の切欠９が蓋受け枠１０の左右に形成されたヒンジボックス１４のヒンジピン１３と係合されるよう、上方から落とし込むことにより完了する。このようにして、集排水ますに蓋体１、１が取り付けられた後、集排水ますの点検や清掃を行う際には、蓋体１、１の中央部をフックや専用の工具を用いて引き上げれば、左右の蓋体１、１はヒンジプレート８が係合されているヒンジボックス１４のヒンジピン１３を回動中心として枢動されて開かれ、蓋体１、１のヒンジプレート８の上縁がヒンジボックス１４の背板１４ａの上縁に当接した、図４に示される１１０度の開度で観音開き状に両開きされることとなる。
【０００８】
この開放動作時、ヒンジピン１３に嵌合されているスペーサ１９によって、ヒンジプレート８は挟持されるので、蓋体１、１の開放はがつくことなく滑らかに行われることとなる。そして、蓋体１、１が観音開き状に両開きされた集排水ますの開口を通じて集排水ます内の点検や清掃を行えば良い。このとき蓋体１、１のヒンジプレート８の切欠９は略横向きとなるうえに、ストッパ１８としての背板１４ａに当接した状態となっているので、蓋体１、１が外れることはなく安全に作業をすることができる。また、蓋体１、１が他物にぶつかって両開きできないような場所に集排水ますを設置した場合には、蓋体１、１を枢動させずに、閉じられたままの状態で上方に引き上げれば、ヒンジピン１３と係合している切欠９は下向きの状態となっているため、ヒンジピン１３と係合していたヒンジプレート８の切欠９はヒンジピン１３から抜き出され、左右の蓋体１、１は取り外されることとなるので、開放された開口を通じて集排水ます内の点検や清掃を行えばよいものである。
【０００９】
なお、前記好ましい実施の形態では、ヒンジボックス１４は蓋受け枠１０の外方に張出させて蓋体１、１と蓋受け枠１０との間にできる隙間を小さくしているが、蓋受け枠１０内に形成するものとしてもよい。また、ヒンジボックス１４の底部を傾斜面１７として、塵埃や小石等が排出できるようにしているが、ヒンジボックス１４が蓋受け枠１０内に形成される場合には、底部を開口とすればよい。また、好ましい実施の形態では蓋体１、１を両開きのものとしているが、蓋体１を１枚ものとした片開きとしても良いことは勿論である。さらに、蓋体１は格子状としているが板状のものとしてもよいことは勿論である。
【００１０】
【発明の効果】
本発明は前記説明によって明らかなように、逆Ｕ字状の切欠を設けたヒンジプレートを蓋体に設け、該ヒンジプレートの切欠に係合されるヒンジピンを蓋受け枠のヒンジボックスに張架したから、集排水ますの開口を、蓋体を枢動して開くことも、上方に引き上げて開くこともできるので、設置場所により回転式、落とし込み式と区別することなく自由に設置施工できるので、設計や施工作業が極めて容易となる。しかも、蓋体と蓋受け枠は分離できるので、従来のように分離できない回転式に比べて軽く、持ち運びや施工時に労力を必要としない。また、ヒンジピンはヒンジボックスにより両側が軸支されるので、蓋体に大きな荷重が加えられてもヒンジピンが曲がることがないうえに、長期間の使用によってもヒンジピンががたつくことを抑えることができるので、長期間にわたり蓋体を滑らかに開閉できることとなる。しかも、蓋体の開放時、ヒンジプレートの切欠は略横向きとなるため、ヒンジピンからヒンジプレートは外れず、作業中に蓋体が外れることがなく極めて安全なものである。さらに、ヒンジプレートとヒンジボックスとの間にスペーサを介在させたことにより蓋体のがたつきを抑えて開閉動作を滑らかなものとすることができる。
【００１１】
また、請求項３のように、蓋体のストッパをヒンジボックスの背板とすることにより、ストッパを別に設けなくてもよく構造が簡単で安価なものとすることができる。さらに、請求項４のように、ヒンジボックスを蓋受け枠の外方に形成することにより、枢着側の蓋体と蓋受け枠との間に生じる隙間を小さなものとすることができ、デザイン性を高めるとともに、隙間に小石等が入り込む余地を少なくして開閉不良の発生を防止することができる。また、請求項５のように、ヒンジボックスの底部を傾斜面とすることにより、ヒンジボックス内に塵埃や小石等が堆積して蓋体の枢動不良を発生させることを確実に防止できる等種々の利点を有するものである。
従って、本発明は従来の問題点を解消した集排水ます用蓋として業界の発展に寄与するところ極めて大なものである。
【図面の簡単な説明】
【図１】  本発明の好ましい実施の形態を示す一部切欠平面図である。
【図２】  本発明の好ましい実施の形態を示す要部の断面図である。
【図３】  本発明の好ましい実施の形態を示す要部の平面図である。
【図４】  本発明の好ましい実施の形態の蓋体を回動開放させた状態を示す要部の断面図である。
【符号の説明】
１  蓋体
８  ヒンジプレート
９  切欠
10  蓋受け枠
13  ヒンジピン
14  ヒンジボックス
17  傾斜面
18  ストッパ
19  スぺーサ
【図１】
0004004156.tif 000002
【図２】
0004004156.tif 000003
【図３】
0004004156.tif 000004
【図４】
0004004156.tif 000005